(57)【特許請求の範囲】
【請求項１】
ズーム動作が可能な撮像手段を備え、前記撮像手段のズーム動作に伴い音声信号を制御するビデオカメラであって、音声を収音するマイクロホンと、前記マイクロホンからの音声出力信号の低域を低減する第１のフィルタと、前記第１のフィルタからの音声出力信号の低域を低減する第２のフィルタと、前記第１のフィルタからの音声出力信号のレベルを可変する第１のレベル可変手段と、前記第２のフィルタからの音声出力信号のレベルを可変する第２のレベル可変手段と、前記撮像手段におけるズーム動作に応じて前記第１及び第２のレベル可変手段のレベルを制御する制御手段と、前記第１及び第２のレベル可変手段の出力音声信号を加算する加算手段とを備えたことを特徴とするビデオカメラ。
【請求項２】
ズーム動作が可能な撮像手段を備え、前記撮像手段のズーム動作に伴い音声信号を制御するビデオカメラであって、音声を収音するマイクロホンと、前記マイクロホンからの音声出力信号の低域を低減する第１のフィルタと、前記第１のフィルタからの音声出力信号の低域を低減する第２のフィルタと、前記第１のフィルタからの音声出力信号のレベルを可変する第１のレベル可変手段と、前記第２のフィルタからの音声出力信号のレベルを可変する第２のレベル可変手段と、前記撮像手段におけるズーム動作に応じて前記第１及び第２のレベル可変手段のレベルを制御する制御手段と、前記第１及び第２のレベル可変手段の出力音声信号を加算する加算手段とを備え、前記制御手段は、前記撮像手段が望遠撮影状態の時には前記第２のレベル可変手段におけるレベルを大きくするよう制御し、前記撮像手段が広角撮影状態の時には前記第１のレベル可変手段におけるレベルを大きくするよう制御することを特徴とするビデオカメラ。
【発明の詳細な説明】
【０００１】
【発明の属する技術分野】
本発明は、映像のズーム機能を有するカメラに搭載し、映像と同期してズーム収音するズーム・マイクロホン及び、これを備えるビデオカメラに関するものである。
【０００２】
【従来の技術】
近年、民生用ビデオカメラは普及がめざましい。
【０００３】
この民生用ビデオカメラのほとんどはズーム機能を有しているのに対し、これらの内蔵マイクロホンは指向性が一定のため、映像と音声の一体感に乏しかった。
【０００４】
以下に従来のマイクロホンを備えたビデオカメラについて説明する。
従来、ビデオカメラは特開平１ー３２１７８０号公報に記載されたものが知られている。そのビデオカメラを図３に示す。図３は従来のビデオカメラのブロック図を示すものである。図３において、１はズーム機能を有し被写体の画像を撮影可能な撮像部である。２は広角撮影時に使用される広指向性の第１のマイクロホンであり、無指向性マイクロホンとも呼ばれている。３は望遠撮影時に使用される狭指向性の第２のマイクロホンであり、単一指向性マイクロホンとも呼ばれている。４は第１及び第２のマイクロホン２及び３の音声出力信号レベルを変える混合器である。Ｒａ、Ｒｂは混合器４内に設けられた可変抵抗器である。５は撮像部１のズーミング動作に応じたコントロール信号を発生し、混合器４を制御するコントロール信号電圧発生回路である。６は音声記録回路である。
【０００５】
以上のように構成された従来のビデオカメラについて、以下その動作について説明する。
【０００６】
まず、ズーム操作により、撮像部１からのズーム位置情報信号をコントロール信号電圧発生回路５が読み取り、混合器４の可変抵抗器Ｒａ、Ｒｂをズーム位置に応じたズーム比で制御する。
【０００７】
例えば、撮像部１が広角撮影を行っている時には、コントロール信号電圧発生回路５は混合器４の可変抵抗器Ｒｂの抵抗値を上げる制御をし、望遠撮影時の狭指向性の第２のマイクロホン３の音声出力信号を減衰させ、広指向性の第１のマイクロホン２の音声出力信号だけを音声記録回路６に出力するよう混合器４の可変抵抗器Ｒａを制御する。
【０００８】
また、撮像部１が望遠撮影を行っている時には、コントロール信号電圧発生回路５は混合器４の可変抵抗器Ｒａの抵抗値を上げる制御をし、第１のマイクロホン２の音声出力信号を減衰させ、第２のマイクロホン３の音声出力信号だけを音声記録回路６に出力するよう混合器４の可変抵抗器Ｒｂを制御する。
【０００９】
このようにして制御された音声信号は、音声記録回路６に入力され、記録媒体などに音声信号が記録される。
【００１０】
図４に混合器４の可変抵抗器Ｒａ、Ｒｂをズーム位置に応じたズーム比で制御した、音声記録回路６に入力される音声信号の指向性変化を示す。
【００１１】
【発明が解決しようとする課題】
しかしながら上記の従来の構成では、指向性の異なる複数個のマイクロホンユニットが必要あるので、ビデオカメラを小型化できず、またコストアップにつながってしまうという問題点を有していた。
【００１２】
本発明は上記従来の問題点を解決するもので、ビデオカメラの小型化、低価格化が実現可能なビデオカメラを提供することを目的とする。
【００１３】
【課題を解決するための手段】
この目的を達成するために本発明のビデオカメラは、ズーム動作が可能な撮像手段を備え、前記撮像手段のズーム動作に伴い音声信号を制御するビデオカメラであって、音声を収音するマイクロホンと、前記マイクロホンからの音声出力信号の低域を低減する第１のフィルタと、前記第１のフィルタからの音声出力信号の低域を低減する第２のフィルタと、前記第１のフィルタからの音声出力信号のレベルを可変する第１のレベル可変手段と、前記第２のフィルタからの音声出力信号のレベルを可変する第２のレベル可変手段と、前記撮像手段におけるズーム動作に応じて前記第１及び第２のレベル可変手段のレベルを制御する制御手段と、前記第１及び第２のレベル可変手段の出力音声信号を加算する加算手段とを有している。
【００１４】
この構成によって、指向性を変化させないでマイクロホンユニットの音声出力信号の利得と周波数特性を変化させることにより、ビデオカメラの小型化、低価格でビデオカメラを提供することができる。
【００１５】
【発明の実施の形態】
本発明の請求項１及び２に記載の発明は、ズーム動作が可能な撮像手段を備え、前記撮像手段のズーム動作に伴い音声信号を制御するビデオカメラであって、音声を収音するマイクロホンと、前記マイクロホンからの音声出力信号の低域を低減する第１のフィルタと、前記第１のフィルタからの音声出力信号の低域を低減する第２のフィルタと、前記第１のフィルタからの音声出力信号のレベルを可変する第１のレベル可変手段と、前記第２のフィルタからの音声出力信号のレベルを可変する第２のレベル可変手段と、前記撮像手段におけるズーム動作に応じて前記第１及び第２のレベル可変手段のレベルを制御する制御手段と、前記第１及び第２のレベル可変手段の出力音声信号を加算する加算手段とを有し、このような構成により、マイクロホンが１つですむので、コストダウンが可能になるとともに、小型化が可能なビデオカメラが得られる。
【００１６】
（実施の形態１）
図１は本発明の実施の形態のビデオカメラのブロック図であり、図１において、１１は無指向性のマイクロホンで、１個のマイクロホンからなる。１２はマイクロホン１１からの音声出力信号の低域をカットする第１のフィルタ、１３は第１のフィルタ１２の音声出力信号を増幅する第１の増幅器、１４は第１の増幅器１３からの音声出力信号の低域をカットする第２のフィルタで、低域６００Ｈｚにおいて３ｄＢレベルが減衰するような特性を有する。１５は第２のフィルタ１４の音声出力信号を増幅する第２の増幅器、１６は第１の増幅器１３からの音声出力信号のレベルを変える第１のレベル可変手段である第１の電子ボリューム、１７は第２の増幅器１５からの音声出力信号のレベルを変える第２のレベル可変手段である第２の電子ボリューム、１８は撮像部２０のズーミング動作に応じたコントロール信号を発生して第１及び第２の電子ボリューム１６及び１７を制御する制御手段であるコントロール信号電圧発生回路、１９は第１及び第２の電子ボリューム１６及び１７の音声出力信号を加算する加算手段である加算器、２０はズーム機能を有し被写体の画像を撮影可能な撮像手段である撮像部、２１は加算器１９から出力される音声信号を記録媒体などに記録する音声記録回路である。
【００１７】
図２は本実施の形態における音声信号の周波数に対する出力レベルの特性を示した特性図で、２１は第２の増幅器１５の出力信号の特性、２２は第１の増幅器１３の出力信号の特性である。
【００１８】
以上のように構成された本実施の形態のビデオカメラについて、図１を用いてその動作を説明する。
【００１９】
広角撮影における音声信号の制御としては、無指向性マイクロホンで収音した音声をそのまま使用すればよいが、望遠撮影時の音声信号は、広角撮影時の音声信号の低域を低減させて、マイクロホン近傍の音声を低減させることで収音が可能になる。
【００２０】
まず、無指向性マイクロホン１１からの音声出力信号を第１のフィルタ１２で低域をカットすることで、ノイズ成分を除去する。第１のフィルタ１２から出力された音声信号は第１の増幅器１３に入力され、第１の増幅器１３でこの音声出力信号を増幅する。ここで、第１の増幅器１３から出力される音声信号を「広角撮影用」と呼び、図２の２２のような特性を有する。この広角撮影用の音声出力信号は第１の電子ボリューム１６と第２のフィルタ１４に入力される。第２のフィルタ１４では、低域の３ｄＢ落ちが６００Ｈｚとなる特性に基づき、さらに低域をカットし、第２の増幅器１５で音声出力信号を９〜１２ｄＢ増幅する。この音声出力信号を「望遠撮影用」と呼び、図２の２１のような特性を有する。広角撮影用の音声出力信号と望遠撮影用の音声出力信号は、第１及び第２の電子ボリューム１６及び１７に入力される。
【００２１】
一方、撮像部２０がズーム動作を行うと、撮像部２０からのズーム位置情報信号をコントロール信号電圧発生回路１８が読み取り、第１及び第２の電子ボリューム１６及び１７にズーム比に応じて広角撮影用の音声出力信号と望遠撮影用の音声出力信号を制御する。
【００２２】
例えば、広角撮影時には、コントロール信号電圧発生回路１８は広角撮影用の音声出力信号を通過させるように第１の電子ボリューム１６を制御し、望遠撮影用の音声出力信号を減衰させるように第２の電子ボリューム１７を制御する。また、望遠撮影時には、コントロール信号電圧発生回路１８は望遠撮影用の音声出力信号を通過させるように第２の電子ボリューム１７を制御し、広角撮影用の音声出力信号を減衰させるように第１の電子ボリューム１６を制御する。
【００２３】
そして、第１及び第２の電子ボリューム１６及び１７の音声出力信号を加算器１９で加算して音声記録回路２１に出力する。音声記録回路２１において、磁気テープなどの記録媒体に音声信号を記録する。
【００２４】
以上のように本実施の形態によれば、広角撮影用の音声出力信号に対して望遠撮影用音声出力信号の出力を８〜１２ｄＢ増加させ、図２の周波数特性のような広角撮影用の第１のフィルタ１２と望遠撮影用の第２のフィルタ１４に特性を持たすことにより、ズームを望遠撮影に操作すると周波数特性の低域がカットされ、音量が８〜１２ｄＢ上がるため、周囲ノイズに対する明瞭感が向上し、遠方の音をズームアップした効果が得られる。すなわち、映像のズームに合わせて音量、被写体の周囲音が変化し、指向性を変化させなくても十分な映像と音声の一体感が得られることができる。
【００２５】
【発明の効果】
以上のように本発明は、２個の指向性の違うマイクロホンユニットを使用して指向性を変化させなくても、１個のマイクロホンユニットで、レンズのズーム倍率の変化に合わせて音声の出力レベルと周波数特性を変化させる方法により、映像のズームに合わせて音量、被写体の周囲音が変化し十分な映像と音声の一体感が得られるという優れた効果が得られる。
【図面の簡単な説明】
【図１】本発明の実施の形態におけるビデオカメラのブロック図
【図２】同実施の形態１におけるビデオカメラの動作説明のための周波数特性図
【図３】従来のビデオカメラの構成を示すブロック図
【図４】従来のビデオカメラにおけるマイクロホンの指向特性を示す特性図
【符号の説明】
１１  マイクロホン
１２  第１のフィルタ
１３  第１の増幅器
１４  第２のフィルタ
１５  第２の増幅器
１６  第１の電子ボリューム
１７  第２の電子ボリューム
１８  コントロール信号電圧発生回路
１９  加算器
２０  撮像部
【図１】
0003620320.tif 000002
【図２】
0003620320.tif 000003
【図３】
0003620320.tif 000004
【図４】
0003620320.tif 000005